(57)【要約】本発明は神経機能検査装置に関する。本発明は人体の神経機能を検査するために人体を刺激させる少なくとも一つの刺激器；及び前記刺激器を人体の手または足に固定させることができるように一側に前記刺激器が設置され、人体の手または足に対応する形状に形成される刺激器固定部材；を含み、前記刺激器固定部材に設置されて、人体の血液循環を感知する少なくとも一つの血液循環感知センサーをさらに含む。本発明は、刺激器の刺激を通じて感覚の低下程度を検査することができるので、検査の精密度及び信頼性を大きく向上させることができ、感覚が低下される糖尿病や脊椎神経損傷患者の診断及び治療方針決定を体系的且つ能動的に実施することができる。【選択図】図３
2013530737.tif 000002
【特許請求の範囲】
【請求項１】
人体の神経機能を検査するために人体を刺激させる少なくとも一つの刺激器と；
前記刺激器を人体の手または足に固定させることができるように一側に前記刺激器が設置され、人体の手または足に対応する形状に形成される刺激器固定部材と；を含むことを特徴とする神経機能検査装置。
【請求項２】
前記刺激器は肌を加圧して刺激させる加圧器、及び肌に振動形態の刺激を印加するバイブレーターとの中の少なくとも何れか一つで構成されることを特徴とする請求項１に記載の神経機能検査装置。
【請求項３】
前記加圧器は、
前記刺激器固定部材の一側に固定される中空ホルダーと；
前記中空ホルダーの内部に形成された中空に挿入されて前後進移動し、移動する先端部が肌を加圧して刺激させ、後端部は押圧部またはアクチュエーターが形成される刺激ピンと；を含むことを特徴とする請求項２に記載の神経機能検査装置。
【請求項４】
前記加圧器は、
前記刺激ピンに形成されて、刺激ピンとともに移動する段差と；
前記中空に形成されて前記段差が係止されるストッパと；をさらに含むことを特徴とする請求項３に記載の神経機能検査装置。
【請求項５】
前記刺激器は、
前記刺激器固定部材の一側に固定され、複数の中空を有する中空ホルダーと；
前記中空ホルダーの内部に形成された中空に挿入されて前後進移動し、移動する先端部が肌を加圧して刺激させ、後端部は押圧部またはアクチュエーターが形成される少なくとも一つの刺激ピンと；を含むことを特徴とする請求項２に記載の神経機能検査装置。
【請求項６】
前記刺激器は、
前記中空ホルダーを前記刺激器固定部材に回転可能に固定するホルダー固定部材をさらに含み、
前記ホルダー固定部材は、前記刺激器固定部材に一体的に固定され、前記中空ホルダーが内周面に挿入される固定リングで構成されることを特徴とする請求項５に記載の神経機能検査装置。
【請求項７】
前記刺激器は足指の位置を移動させて足指を刺激する足指移動部材で構成され、
前記足指移動部材は、
前記足の足指を持ち上げるリフトと；
前記リフトを昇降させるエレベーターと；を含むことを特徴とする請求項１に記載の神経機能検査装置。
【請求項８】
前記刺激器は肌に熱気を印加して肌を刺激する電熱器であることを特徴とする請求項１に記載の神経機能検査装置。
【請求項９】
前記刺激器固定部材に設置され、人体の血液循環を感知する少なくとも一つの血液循環感知センサーをさらに含むことを特徴とする請求項１に記載の神経機能検査装置。
【請求項１０】
記血液循環感知センサーは、肌の中の血液内部の酸素飽和度を測定する酸素飽和度センサー及び肌の温度を測定する温度測定センサーの中の少なくとも何れか一つで構成されることを特徴とする請求項９に記載の神経機能検査装置。
【請求項１１】
前記刺激器固定部材は、人体の手または足に着用することができる伸縮性被覆であることを特徴とする請求項１に記載の神経機能検査装置。
【請求項１２】
前記刺激器固定部材は、人体の手または足に対応する固定フレームであることを特徴とする請求項１に記載の神経機能検査装置。
【請求項１３】
前記固定フレームは、
前記人体の手または足を支持する支持板と；
前記支持板の上部に延長されて設置され、前記刺激器が一体的に固定される第１延長棒と；を含むことを特徴とする請求項１２に記載の神経機能検査装置。
【請求項１４】
前記固定フレームは、
前記人体の手または足を支持する支持板と；
前記支持板の上部に延長して設置される第１延長棒と；
前記第１延長棒と異なる方向に延長して設置され、先端部に前記刺激器が設置される第２延長棒と；
前記第２延長棒を前記第１延長棒に固定させるジョイントと；を含むことを特徴とする請求項１２に記載の神経機能検査装置。
【請求項１５】
前記刺激器固定部材は、前記刺激器の移動経路を案内する刺激器移動レールをさらに含むことを特徴とする請求項１〜１４の中の何れか一項に記載の神経機能検査装置。
【請求項１６】
前記刺激器移動レールは前記刺激器の一側に形成された突片と対応するレール溝が形成されることを特徴とする請求項１５に記載の神経機能検査装置。
【請求項１７】
肌を加圧して刺激させる加圧器、肌に振動形態の刺激を印加するバイブレーター、足指の位置を移動させて足指を刺激する足指移動部材及び肌に熱気を印加して肌を刺激する電熱器の中の少なくとも何れか一つで構成されて、人体の感覚機能を検査するために人体を刺激させる刺激器と；
前記刺激器を人体の手または足に固定させることができるように、一側に前記刺激器が設置され、人体の手または足に対応する形状に形成される刺激器固定部材と；
前記刺激器固定部材に設置されて、肌の中の血液内部の酸素飽和度を測定する酸素飽和度センサー及び肌の温度を測定する温度測定センサーの中の少なくとも何れか一つで構成されて、人体の血液循環を感知する血液循環感知センサーと；
前記刺激器によって肌が刺激されたり、足指が刺激されたことが確認信号で印加されるように、検診対象者によって操作される確認ボタンと；
前記確認ボタンで印加される確認信号及び前記血液循環感知センサーで測定された測定値に基づいて、既設定された段階的測定過程を比較して手順別に測定過程を設定するか、前記確認信号及び測定値をプリント可能なデータに変換する端末機と；
前記端末機に設定された手順別測定過程を音声や肉眼で案内する案内部と；
前記端末機を通じて前記案内部と連動可能に連結され、前記端末機で変換されたデータをプリントするプリンターと；を含むことを特徴とする神経機能検査装置。
【発明の詳細な説明】
【技術分野】
【０００１】
本発明は神経機能検査装置に関し、さらに詳しくは、糖尿病患者や脊椎神経損傷患者などの検査対象者の手または足の感覚を検査して病状の進行程度や事故防止及び治療を可能にする神経機能検査装置に関する。
【背景技術】
【０００２】
一般に、糖尿病は体内で要求される十分な量のインシュリンを生成できなかったり、生成されたインシュリンが細胞内でまともに作用できなくて、体内に入る糖を細胞が吸収することができなくて、血糖値が高くなる疾病である。
【０００３】
このような糖尿病は血管内の動脈硬化による大血管や小血管の合併症によって腎不全症を起こして長期的に血液を透析しなければならなかったり、冠状動脈や脳血管障害または網膜損傷を起こし、さらには足が血液供給不足によって壊死するなど深刻な合併症を引き起こす。
【０００４】
特に、頭から体及び手足に連結された神経系統の中で末梢神経機能が低下される神経合併症が始まると、感覚が鈍くなって、履き物に石や砂が入っても感じることができず、これによって活動中に足に傷が発生されると２次的に細菌感染によって症状がさらに悪化される問題点があった。勿論、神経合併症は神経系が手にも連結されているため手に発病することもあるが、これよりは足部位の発病がよりよく見られる。
【０００５】
このような感覚の低下は血液循環が円滑に行われない足で先に発生され、これを完全に治療しなかったり予防しなかった場合には、足指の細かい血管が閉塞され、且つ腐ってしまう状況が発生する。
【０００６】
結局、足指から始まって壊死部位が徐徐に拡散されて、膝の上まで壊死される場合、膝の上部分まで切断する深刻な状況を引き起こす場合があり、このようになると、糖尿病患者は血液循環がさらに悪化されて、より深刻な合併症を引き起こすだけではなく死亡に至る。
【０００７】
従って、このような糖尿病患者の感覚低下現象を予め確認して、適切な治療と傷を事前に予防することが非常に重要である。糖尿病患者の感覚低下現象を検査するために、従来には、ただ医者が患者の足指を針状のモノフィラメントで刺してみたり、「Ｕ」字状の音叉を振動させて、足指や足裏に接触させて見るなど検査者によって検査結果の信頼性が低下し、標準化されておらず、計量化されていない経験的方法を通じて患者の感覚状態を評価するなど相対的に精密でなく、患者の感覚低下の進行程度や感覚低下の具体的な位置などを体系的に確認することができなかったという問題点があった。
【０００８】
一方、脊椎疾患や脊椎事故によって脊椎神経が損傷された患者も感覚異常が発生して、上述したような症状が現れて糖尿病患者と同じ検査を実施する。従って、このような患者は救急手術など適切な治療方法を選択するために損傷された神経部位と損傷された程度を正確に把握することが非常に重要である。
【発明の概要】
【発明が解決しようとする課題】
【０００９】
上記のような問題点を解決するための本発明の目的は、標準化された刺激器と標準化された刺激器固定部材を利用して検査の精密度と信頼性を大きく向上させることができ、患者の神経機能検査を通じて感覚の低下程度や感覚の低下状態を数値的に計量化して、患者の具体的な感覚低下位置を正確に把握することができ、体系的且つ能動的に糖尿病などの感覚低下患者の治療及び予防を可能し、特に、血液循環状態を感知して、感覚の低下位置を確認することができる神経機能検査装置を提供することを目的とする。
【００１０】
また、アクチュエーターが設置された加圧器を自動的に移動させて刺激の程度を精密に調整することができ、検査対象者が実際生活で伸縮性被覆や、刺激グローブや、刺激ブーツを着用して、リアルタイムで感覚の低下程度を長時間記録及び確認することができるようにする神経機能検査装置を提供することを目的とする。
【００１１】
特に、加圧による痛症や加圧による痛症を通じて複数の加圧点（加圧点の位置）の間の位置区別能力、振動感知能力、温度変化感知能力及び加圧力差の区別能力、そして感覚低下部位の酸素飽和度や体温を通じて血液循環状態を確認することができ、さらに上述したような能力測定過程を段階別に行うことができるとともに、測定された能力及び血液循環状態を音声や肉眼またはプリント物で確認することができる神経機能検査装置を提供することを目的とする。
【課題を解決するための手段】
【００１２】
上記目的を達するための本発明の神経機能検査装置は、人体の神経機能を検査するために、人体を刺激させる少なくとも一つの刺激器と；上記刺激器を人体の手または足に固定させることができるように、一側に上記刺激器が設置され、人体の手または足に対応する形状に形成される刺激器固定部材と；を含む。
【００１３】
上記刺激器は肌を加圧して刺激させる加圧器、及び肌に振動形態の刺激を印加するバイブレーターの中の少なくとも何れか一つで構成されることができる。
【００１４】
上記加圧器は、上記刺激器固定部材の一側に固定される中空ホルダーと；上記中空ホルダーの内部に形成された中空に挿入されて前後進移動し、移動する先端部が肌を加圧して刺激させ、後端部は押圧部またはアクチュエーターが形成される刺激ピンと；を含んで構成することができる。
【００１５】
上記加圧器は、上記刺激ピンに形成されて刺激ピンとともに移動する段差と；上記中空に形成されて、上記段差が係止されるストッパとをさらに含んで構成することができる。
【００１６】
これと違って、上記刺激器は、上記刺激器固定部材の一側に固定され、複数の中空を有する中空ホルダーと；上記中空ホルダーの内部に形成された中空に挿入されて前後進移動し、移動する先端部が肌を加圧して刺激させ、後端部は押圧部またはアクチュエーターが形成される少なくとも一つの刺激ピンと；を含んで構成することもできる。
【００１７】
上記刺激器は、上記中空ホルダーを上記刺激器固定部材に回転可能に固定するホルダー固定部材をさらに含んで構成することができる。
【００１８】
上記ホルダー固定部材は上記刺激器固定部材に一体的に固定され、上記中空ホルダーが内周面に挿入される固定リングで構成することができる。
【００１９】
上記刺激器は足指の位置を移動させて、足指を刺激する足指移動部材で構成することもできる。
【００２０】
上記足指移動部材は、上記足の足指を持ち上げるリフトと；上記リフトを昇降させるエレベーターとを含んで構成することができる。
【００２１】
上記刺激器は肌に熱気を印加して肌を刺激する電熱器で構成することもできる。
【００２２】
本発明は、上記刺激器固定部材に設置されて、人体の血液循環を感知する少なくとも一つの血液循環感知センサーをさらに含んで構成することができる。
【００２３】
上記血液循環感知センサーは、肌の中の血液内部の酸素飽和度を測定する酸素飽和度センサー及び肌の温度を測定する温度測定センサーの中の少なくとも何れか一つで構成することができる。
【００２４】
上記刺激器固定部材は人体の手または足に着用することができる伸縮性被覆で構成することができる。
【００２５】
上記刺激器固定部材は人体の手または足に対応する固定フレームで構成することもできる。
【００２６】
上記固定フレームは、上記人体の手または足を支持する支持板と；上記支持板の上部に延長されて設置され、上記刺激器が一体的に固定される第１延長棒とを含んで構成することができる。
【００２７】
上記固定フレームは、上記人体の手または足を支持する支持板と；上記支持板の上部に延長されて設置される第１延長棒と；上記第１延長棒と異なる方向に延長されて設置され、先端部に上記刺激器が設置される第２延長棒と；上記第２延長棒を上記第１延長棒に固定させるジョイントと；を含んで構成することもできる。
【００２８】
上記刺激器固定部材は、上記刺激器の移動経路を案内する刺激器移動レールをさらに含んで構成することもできる。
【００２９】
上記刺激器移動レールは、上記刺激器の一側に形成された突片と対応するレール溝が形成されることができる。
【００３０】
一方、本発明は、肌を加圧して刺激させる加圧器、肌に振動形態の刺激を印加するバイブレーター、足指の位置を移動させて足指を刺激する足指移動部材及び肌に熱気を印加して肌を刺激する電熱器の中の少なくとも何れか一つで構成されて、人体の感覚機能を検査するために人体を刺激させる刺激器と；上記刺激器を人体の手または足に固定させることができるように、一側に上記刺激器が設置され、人体の手または足に対応する形状に形成される刺激器固定部材と；上記刺激器固定部材に設置され、肌の中の血液内部の酸素飽和度を測定する酸素飽和度センサー及び肌の温度を測定する温度測定センサーの中の少なくとも何れか一つで構成されて、人体の血液循環を感知する血液循環感知センサーと；上記刺激器によって肌が刺激されたり、足指が刺激されたことが確認信号で印加されるように、検診対象者によって操作される確認ボタンと；上記確認ボタンで印加される確認信号及び上記血液循環感知センサーで測定された測定値に基づいて、既設定された段階的測定過程を比較して手順別測定過程を設定したり、上記確認信号及び測定値をプリント可能なデータに変換する端末機と；上記端末機に設定された手順別測定過程を音声や肉眼で案内する案内部と；上記端末機を通じて上記案内部と連動可能に連結され、上記端末機で変換されたデータをプリントするプリンターと；を含む。
【発明の効果】
【００３１】
本発明の神経機能検査装置によれば、刺激器による感覚感知否かを通じて神経機能を検査することができるので、神経機能検査の精密度と信頼性を大きく向上させることができ、体系的且つ能動的に糖尿病や脊椎神経損傷などの症状がある感覚低下患者を正確に診断することができるとともに、慢性神経合併症の部位を正確に診断することができ、刺激の程度を精密に調整することができ、検査対象者が実際生活で着用して、リアルタイムで感覚の低下程度を長時間記録及び確認することができるという效果がある。
【００３２】
特に、痛症や痛症を通じる２点（２ヶ所）の間の位置区別能力、振動感知能力、温度変化感知能力及び加圧力の差の区別能力、そして感覚低下部位の酸素飽和度や体温を通じて血液循環状態を通じて感覚の低下程度を確認することができるので、体系的且つ科学的な検査が可能であり、さらに、段階別能力測定過程を音声やディスプレイで案内することができるので、容易に検診を行うことができるとともに、測定された能力及び血液循環状態を音声や肉眼またはプリント物で確認することができるので、感覚の低下程度を容易に把握することができる。
【図面の簡単な説明】
【００３３】
【図１】本発明の第１実施例による神経機能検査装置を示す断面図である。
【図２】図１に示された加圧器の一例を示す断面図である。
【図３】図１に示されたバイブレーターの一例を示す断面図である。
【図４】図１に示された移動レールの一例を示す断面図である。
【図５】本発明の第２実施例による神経機能検査装置を示す断面図である。
【図６】図５の第１延長棒、第２延長棒及びジョイントを示す断面図である。
【図７】本発明の第３実施例による神経機能検査装置を示す断面図である。
【図８】本発明の第４実施例による神経機能検査装置を示す断面図である。
【図９】本発明の第５実施例による神経機能検査装置を示す図面である。
【図１０】本発明の第６実施例による神経機能検査装置を示す図面である。
【図１１】本発明の第７実施例による神経機能検査装置を示す図面である。
【図１２】本発明の第８実施例による神経機能検査装置を示す図面である。
【発明を実施するための形態】
【００３４】
以下、本発明の好ましい実施例による神経機能検査装置を図面を参照して詳しく説明する。
【００３５】
まず、本発明の第１実施例による神経機能検査装置は、図１〜図４に示すように、刺激器１０と、刺激器固定部材２０とを含んで構成される構成である。
【００３６】
上記刺激器１０は、人体の神経機能を検査するために人体に刺激を発生させるもので、図２に示すように、棒状の刺激ピン１１２で肌を加圧する加圧器１１及び／または図３に示すように、振動モーター１２１で振動面１２２と接触された肌に振動を印加するバイブレーター１２を含んで構成することができる。
【００３７】
上記加圧器１１は、図２に示すように、中空ホルダー１１１及び刺激ピン１１２で構成されることができる。
【００３８】
上記中空ホルダー１１１は上記刺激器固定部材２０の一種である伸縮性被覆２１の一側に固定されるもので、経血などの重要な刺激点や心臓から遠い距離を示す主要チェックポイントや足指から所定距離を示す位置など複数が設置されることができる。
【００３９】
上記刺激ピン１１２は、木材やプラスチック材やナイロン材質のモノフィラメント（Ｍｏｎｏｆｉｌａｍｅｎｔ）で構成されることができる。このような刺激ピン１１２は上記中空ホルダー１１１の内部に形成された中空１１１ａに前後進移動可能に挿入される。
【００４０】
上記刺激ピン１１２は先端部が太くて鈍く構成されることができるが、これよりは尖っている刺激点１１２ａが形成されるように構成されることが好ましく、後端部は押圧部１１２ｂまたは上記刺激ピン１１２を選択的に前後進させるアクチュエーター１１３が設置されるように構成されることが好ましい。このようなアクチュエーター１１３は供給される電圧の大きさによって前後進される上記刺激ピン１１２の移動距離を調節することができるように構成されることができる。
【００４１】
従って、本発明によれば、検査者は検査対象者の足指から所定距離で数値化された刺激、即ち、アクチュエーター１１３によって前進された刺激ピン１１２の前進長さなどを考慮する時、検査対象者の反応から精密な反応を確認することができ、これによって、感覚低下症状の好転や悪化程度を自動化して数値的に計量することができる。特に、アクチュエーター１１３によって刺激ピン１１２の移動距離が調節される場合、刺激ピン１１２の接触強度を調節することができるので、対象者の感覚反応をより精密に確認することができる。
【００４２】
一方、上述した刺激ピン１１２は前後進移動の時、移動距離を感知するセンサー（図示しない）に連結されることができる。このようなセンサーは中空ホルダー１１１に設置されることが好ましく、通常の光センサーやホールセンサーで構成することができる。このようなセンサーの構成は当業者が容易に理解することができる内容であるため、その詳細な説明は省略する。
【００４３】
一方、上述した加圧器１１は複数が隣接状態で離隔して設置されることができる。このような加圧器１１は離隔された状態でそれぞれ肌を加圧する。即ち、加圧器１１は二ヶ所を同時にそれぞれ刺激する。従って、検診対象者は刺激が発生される二つの刺激点を区別することができるかを確認することができる。即ち、検診対象者は二つの刺激点を区別できない場合、当該刺激点部位の感覚が低下されたと判断することができる。
【００４４】
上記加圧器１１は、図２に示すように、中空ホルダー１１１の内部で移動する刺激ピン１１２が中空ホルダー１１１から離脱されないように上記刺激ピン１１２に段差１１２ｃが形成され、上記中空１１１ａにストッパ１１１ｂが形成されることができる。即ち、刺激ピン１１２はストッパ１１１ｂに段差１１２ｃが係止されて前後進距離が制限される。
【００４５】
ここで、上述した中空ホルダー１１１は、図示したように、後述される移動レール４０を通じて刺激器固定部材２０に一体的に固定されることができる。即ち、中空ホルダー１１１は刺激器固定部材２０に間接的に固定されることができる。このような中空ホルダー１１１はボルトによって移動レール４０に着脱式に固定されることができ、これと違って、熔接やボンディングによって移動レール４０に永久的に固定されることもできる。
【００４６】
これと違って、中空ホルダー１１１は刺激器固定部材２０に直接固定されることもできる。この時、中空ホルダー１１１はボルティングやボンディングによって刺激器固定部材２０に直結される。中空ホルダー１１１は刺激器固定部材２０が上述した伸縮性被覆２１で構成される場合、ボンディングによって伸縮性被覆２１に固定されることができ、これと違ってブラケット（図示しない）を利用して伸縮性被覆２１にボルトで固定されることもできる。勿論、上述したバイブレーター１２も中空ホルダー１１１と同じ方式で刺激器固定部材２０や移動レール４０または伸縮性被覆２１に固定される。このような中空ホルダー１１１及びバイブレーター１２の固定方法は当業者が容易に実施することができる内容であるため、その詳細な説明は省略する。
【００４７】
上記刺激器固定部材２０は、図１に示すように、上記刺激器１０を人体の手１または足２に固定させることができるように、一側に上述された複数の加圧器１１と複数のバイブレーター１２が設置され、人体の足２に対応する形状に形成され、人体の足２に着用することができる伸縮性被覆２１が適用されることができる。
【００４８】
一般的に、上記伸縮性被覆２１は、図１に示すように、靴下形態の伸縮性被覆や、ストッキング形態の伸縮性被覆が適用されることができる。
【００４９】
従って、本発明の神経機能検査装置を利用すれば、検査対象者が上記伸縮性被覆２１を着用した状態で活動することができるとともに、圧力や振動など各種刺激が印加されて感覚の低下程度を確認することが可能である。
【００５０】
一方、本発明の神経機能検査装置は、上記刺激器固定部材２０に設置されて、人体の血液循環を感知する血液循環感知センサー３０をさらに含んで構成することができる。
【００５１】
上記血液循環感知センサー３０は、図１に示すように、人体の血液循環を感知するセンサーで、肌の中の血液内部の酸素飽和度を測定する酸素飽和度センサー３１及び／または肌の温度を測定する温度測定センサー３２を含むことができる。
【００５２】
従って、本発明の神経機能検査装置を利用すれば、検査対象者が上記伸縮性被覆２１を着用した状態で活動することができるとともに、足で循環する血液内部の酸素飽和度や足の温度を測定して患者の神経機能を確認することが可能である。
【００５３】
一方、図４に示すように、検査対象者の足に設置された加圧器１１やバイブレーター１２の設置数を減少させ、各地点または連続的に刺激を与えることができるように、上記刺激器固定部材２０に上記刺激器１０の移動経路を案内する刺激器移動レール４０が設置されることも可能である。
【００５４】
ここで、図４に示すように、上記刺激器移動レール４０は、上記加圧器１１またはバイブレーター１２の一側に形成された突片１３と対応するレール溝４１が形成されて、上記加圧器１１やバイブレーター１２が上記レール溝４１に沿って移動しながら特定地点または連続的に刺激を印加することができる。
【００５５】
このような上記刺激器移動レール４０は、図７に示すように、後述される感覚ブーツ２３にも設置されることができ、この時、一側に上記刺激器１０の移送距離や高さなどを測定することができるように目盛りが表示された定規２２４が設置されることができる。
【００５６】
本発明の第２実施例による神経機能検査装置は、図５及び図６に示すように、上記刺激器固定部材２０の一種で、人体の足２に対応する固定フレーム２２が適用されることができる。
【００５７】
上記固定フレーム２２は、図５に示すように、支持板２２０、第１延長棒２２１、第２延長棒２２２及びジョイント２２３を含む構成である。
【００５８】
上記支持板２２０は、上記人体の足２を支持するもので、検査対象者が足２を載せると、上記支持板２２０に設置された酸素飽和度センサー３１及び温度測定センサー３２が患者の足の血液状態を確認することができるようにすることも可能である。このような支持板２２０の酸素飽和度センサー３１及び温度測定センサー３２は破線で示すように第１延長棒２２１に設置されて、支持板２２０の上部で作動することもできる。即ち、酸素飽和度センサー３１及び温度測定センサー３２は第１延長棒２２１に設置されて、足２の上部を測定することができ、これと異なって支持板２２０に設置されて足２の底を測定することもできる。
【００５９】
上記第１延長棒２２１は、図５に示すように、上記支持板２２０の上部に延長して設置され、上記加圧器１１やバイブレーター１２の高さを測定することができるように目盛り２２４を表示すれば、測定位置を数値化することができる。
【００６０】
また、上記第１延長棒２２１は、上記支持板２２０に設置されたヒンジ軸２２５にヒンジ結合されて、検査対象者が上記支持板２２０の上に足２を載せる時は開かれ、検査対象者が上記支持板２２０の上に足２を載せた後、足２の方向に立てられて感覚検査を容易にすることも可能である。
【００６１】
上記第２延長棒２２２は、上記第１延長棒２２１と相異する方向に延長して設置され、先端部に上記加圧器１１またはバイブレーター１２が設置される。この時、第２延長棒２２２は第１延長棒２２１と直角方向に延長設置されることが好ましい。ここで、上記第２延長棒２２２は上記加圧器１１やバイブレーター１２が上記第１延長棒２２１に設置される場合省略されることも可能である。即ち、加圧器１１やバイブレーター１２は第１延長棒２２１に設置されることができる。このような上記加圧器１１やバイブレーター１２は上記支持板２２０に埋設されることも可能である。
【００６２】
上記ジョイント２２３は、上記第２延長棒２２２を上記第１延長棒２２１に固定させるものである。ここで、上記ジョイント２２３は固定ねじ２２６などの固定具を利用して上記第１延長棒２２１及び第２延長棒２２２を互いに固定させるもので、図６に示すように、上記刺激器１０の水平位置と垂直位置を自由に調整することができる。
【００６３】
本発明の第３実施例による神経機能検査装置は、図７に示すように、上記刺激器固定部材２０の一種で、人体の足２に着用する感覚ブーツ２３が適用されることができる。
【００６４】
上記感覚ブーツ２３は、上述した加圧器１１、バイブレーター１２、酸素飽和度センサー３１及び温度測定センサー３２が設置されることができる。
【００６５】
また、上記感覚ブーツ２３は検査対象者が日常生活の中でも足２の酸素飽和度及び温度の変化を長時間測定することができるように、上記酸素飽和度センサー３１及び温度測定センサー３２で測定された測定値を保存するデータ保存部１００と、上記刺激器１０及びデータ保存部１００に電源を供給するバッテリー２００とが設置されることができる。
【００６６】
従って、検査対象者が上記感覚ブーツ２３を実際生活で着用して、リアルタイムで感覚の低下程度を長時間記録及び確認することができる。
【００６７】
本発明の第４実施例による神経機能検査装置は、図８に示すように、上記刺激器固定部材２０の一種で、人体の手１に着用する感覚グローブ２４が適用されることができる。
【００６８】
上記感覚グローブ２４は、上述した加圧器１１、バイブレーター１２、酸素飽和度センサー３１及び温度測定センサー３２が設置されることができる。
【００６９】
また、上記感覚グローブ２４は検査対象者が日常生活の中でも手１の酸素飽和度及び温度の変化を長時間測定することができるように、上記酸素飽和度センサー３１及び温度測定センサー３２で測定された測定値を保存するデータ保存部１００と、上記刺激器１０及びデータ保存部１００に電源を供給するバッテリー２００とが設置されることができる。
【００７０】
従って、検査対象者が上記感覚グローブ２４を実際生活で着用してリアルタイムで感覚の低下程度を長時間記録及び確認することができる。
【００７１】
本発明の第５実施例による神経機能検査装置は、図９に示すように、上述した第１実施例と全ての構成が同じである。ただ、刺激器が電熱器１９で構成された点で上述した第１実施例と区別される。このような電熱器１９は内部の電熱コイル（図示しない）によって発熱し、電熱コイルの熱気を肌に印加して熱気を通じて肌を刺激する。従って、検診対象者は熱気による刺激を感知して感覚低下部位を確認することができる。即ち、検診対象者は電熱器１９の熱気を感じる場合、電熱器１９が位置した部位は感覚が低下していないと判断することができ、これと反対の場合、感覚が低下されたと判断することができる。
【００７２】
上記電熱器１９は上述した加圧器１１及び／またはバイブレーター１２とともに刺激器固定部材２０に装着されることができるが、これと異なって、個別に刺激器固定部材２０に装着されることもできる。そして、電熱器１９は上述した図４の移動レール４０に設けられる場合移動レール４０に沿って移動されることができる。
【００７３】
上記電熱器１９の構成は当業者が容易に理解することができるとともに、容易に具現することができる技術であるため、その詳細な説明は省略する。
【００７４】
本発明の第６実施例による神経機能検査装置は、図１０に示すように、刺激器を足指移動部材１５で構成した点で上述した実施例と相異している。このような足指移動部材１５は足指を昇降させて足指の位置を移動させる。
【００７５】
上記足指移動部材１５は、例えば、図示したように、足指を持ち上げるリフト１５ａ及びリフト１５ａを昇降させるエレベーターを含んで構成することができる。
【００７６】
上記リフト１５ａは、図示したように、足指の下部を支持するように板状に構成することができ、これと異なって足指が挿入される円筒に構成することができる。
【００７７】
上記エレベーターは、図示したように、回転モーター１５ｄ、回転モーター１５ｄによって支持板２２０でピボット回転するピボット軸１５ｃ及びピボット軸１５ｃにねじ結合されて昇降し、リフト１５ａに連結された昇降ナット１５ｂを含んで構成することができる。即ち、足指移動部材１５はリフト１５ａ、回転モーター１５ｄ、ピボット軸１５ｃ及び昇降ナット１５ｂを含んで構成することができる。
【００７８】
上記ピボット軸１５ｃは回転モーター１５ｄによってピボット回転されながら昇降ナット１５ｂとともにリフト１５ａを昇降させて足指の位置を移動させる。従って、検診対象者は位置移動による足指の刺激を通じて足指の感覚低下部位を確認することができる。即ち、検診対象者は、足指の移動による刺激を感知する場合、当該足指の感覚が低下していないと判断することができ、これと反対の場合には当該足指の感覚が低下されたと判断することができる。
【００７９】
本発明の第７実施例による神経機能検査装置は、図１１に示すように、上述した加圧器１１を上述と異なるように構成した点で相異する。このような加圧器１１は、例えば、図示したように、移動レール４０を通じて上述した刺激器固定部材２０に固定され、複数の中空１１１ａを有する中空ホルダー１１１’及び上記中空ホルダー１１１’の内部に形成された中空１１１ａに挿入されて前後進移動し、移動する先端部が肌を加圧して刺激させ、後端部は押圧部１１２ｂまたはアクチュエーター１１３が形成される少なくとも一つの刺激ピン１１２を含んで構成することができる。この時、中空ホルダー１１１’は図示したように移動レール４０の一側に固定されて上述した刺激器固定部材２０に連結される。
【００８０】
ここで、上述した加圧器１１は中空ホルダー１１１’を上述した刺激器固定部材２０の移動レール４０に回転可能に固定するホルダー固定部材をさらに含むことができる。このようなホルダー固定部材は、例えば、上述した刺激器固定部材２０の移動レール４０に一体的に固定され、中空ホルダー１１１’が内周面に挿入される固定リング１１４で構成することができる。即ち、中空ホルダー１１１’は固定リング１１４に挿入されて移動レール４０に固定されることによって回転可能な状態で移動レール４０に固定される。
【００８１】
固定リング１１４はボルトによって移動レール４０に着脱可能に固定されることができ、これと違って、熔接やボンディングによって移動レール４０に永久的に固定されることもできる。このような固定リング１１４は、図示したように、端部が内側に折曲されることが好ましい。従って、固定リング１１４は折曲された端部を通じて中空ホルダー１１１’を回転可能に拘束する。
【００８２】
一方、刺激ピン１１２は多様な太さで構成されて、複数の中空１１１ａに挿入される。即ち、刺激ピン１１２は多様な太さで形成された複数のピンで構成される。従って、刺激ピン１１２は必要によって一つだけ中空ホルダー１１１’で突出されながら肌を刺激する。勿論、刺激ピン１１２は中空ホルダー１１１’がピストルのリボルバーのように回転される場合太さ別に一つずつ突出されながら肌を刺激することができる。即ち、検診者は検診対象者の肌を多様な方式で検診することができる。
【００８３】
また、上述した中空ホルダー１１１’や固定リング１１４は刺激器固定部材２０が上述した図５の固定フレーム２２で構成される場合、固定フレーム２２に設置される。勿論、中空ホルダー１１１’や固定リング１１４は固定フレーム２２の第１延長棒２２１や第２延長棒２２２に固定される。この時、中空ホルダー１１１’や固定リング１１４は上述したジョイント２２３を通じて第１延長棒２２１や第２延長棒２２２に固定されることが好ましい。
【００８４】
また、上述した第１実施例〜第７実施例の神経機能検査装置は、患者が横になって診療を受けることができるように構成されることができる。このような内容は当業者が容易に理解することができる内容であるため、その詳細な説明は省略する。
【００８５】
本発明の第８実施例による神経機能検査装置は、図１２に示すように、刺激器１０、刺激器固定部材２０、血液循環感知センサー３０、確認ボタン５９、端末機５１、プリンター５７及び案内部を含む。
【００８６】
上記刺激器１０は上述した加圧器１１やバイブレーター１４または足指移動部材１５や電熱器１９の中の少なくとも何れか一つで構成される。そして、刺激器固定部材２０は上述した伸縮性被覆２１や固定フレーム２２で構成される。また、血液循環感知センサー３０は上述した酸素飽和度センサー３１及び／または温度測定センサー３２で構成される。また、端末機５１は一般のＰＣで構成することができる。案内部は、例えば、図示したようなモニター５２やスピーカー５５で構成することができる。
【００８７】
確認ボタン５９は端末機５１と連結されて、検診対象者が操作する場合、操作確認信号を端末機５１に印加する。
【００８８】
このような第８実施例による神経機能検査装置は、刺激器１０によって肌が刺激されたり、足指が刺激されて、検診対象者が確認ボタン５９を操作する場合、確認ボタン５９によって確認信号が端末機５１に印加され、血液循環感知センサー３０で測定された測定値が端末機５１に印加される。従って、端末機５１は確認ボタン５９で印加される確認信号及び血液循環感知センサー３０で測定された測定値に基づいて既設定された段階的測定過程を比較して手順別測定過程を設定するか、確認信号及び測定値をプリント可能なデータに変換する。勿論、端末機５１はインストールされた駆動プログラムによって手順別測定過程を設定し、プリント可能なデータをファイルで保存することができるとともに、オンラインで伝送したり、ＣＤ形態の保存媒体に保存することもできる。また、端末機５１は確認ボタン５９を通じて印加される確認信号に基づいて患者の検診状態を案内部を通じて案内することができる。このような内容は当業者が容易に理解して実施することができる内容であるため、その詳細な説明は省略する。
【００８９】
ここで、上述した既設定された段階的測定過程は、刺激器１０の段階別作動手順を意味する。即ち、段階的測定過程は、刺激器１０の加圧器１１、バイブレーター１４、足指移動部材１５及び電熱器１９を利用して順次に多様な検診を行う過程である。さらに詳しく説明すれば、段階的測定過程は、加圧器１１で肌を加圧し、バイブレーター１４で肌を振動させた後、足指移動部材１５で足指を刺激した後、電熱器１９で肌を刺激する過程を順次に構成したのである。
【００９０】
一方、端末機５１はこのような段階的測定過程をモニター５２やスピーカー５５を通じて肉眼や音声で案内する。即ち、端末機５１は加圧器１１の刺激が完了されると、バイブレーター１４による検診が実施されることをモニター５２やスピーカー５５に案内する。この時、端末機５１は確認ボタン５９の確認信号を通じて加圧器１１の刺激が完了されたことを確認する。そして、端末機５１は確認ボタン５９を通じてバイブレーター１４の刺激が完了されたことが確認されると、足指移動部材１５による検診が実施されることをモニター５２やスピーカー５５に案内する。端末機５１はこのような方法で最終的に電熱器１９による検診まで案内する。
【００９１】
プリンター５７は端末機５１を通じて案内部と連動可能に連結されることができる。プリンター５７は端末機５１で変換されたデータをプリントする。従って、検診者は検診対象者の検診結果をひと目で確認することができる。
【００９２】
本発明は上述した実施例に限定されないで、本発明の思想を害しない範囲内で当業者による変形が可能であることは自明である。従って、本発明で権利を請求する範囲は詳細な説明の範囲によって定められるのではなく、後述される特許請求の範囲とその技術的思想によって定められるべきである。
【産業上の利用可能性】
【００９３】
本発明の神経機能検査装置によれば、刺激器による感覚感知否かを通じて神経機能を検査することができるので、神経機能検査の精密度と信頼性を大きく向上させることができる。
【００９４】
【図１】
2013530737.tif 000003
【図２】
2013530737.tif 000004
【図３】
2013530737.tif 000005
【図４】
2013530737.tif 000006
【図５】
2013530737.tif 000007
【図６】
2013530737.tif 000008
【図７】
2013530737.tif 000009
【図８】
2013530737.tif 000010
【図９】
2013530737.tif 000011
【図１０】
2013530737.tif 000012
【図１１】
2013530737.tif 000013
【図１２】
2013530737.tif 000014
【国際調査報告】
2013530737.tif 000015
2013530737.tif 000016
2013530737.tif 000017
2013530737.tif 000018